(57)【要約】      （修正有）【課題】「動かす力」でなく自然に「動いちゃう力」を引き出し、連続的に加減速自在に運動させ、負荷をかけても安全運転が継続可能な回転器具を提供する。【解決手段】四角形の剛体平盤１の中心に垂直上下に突き出た回転軸と軸受け２、回転軸上側に平盤上を滑らかに回転運動するアーム３・錘４・転滑具５、平盤の下側に突き出た回転軸の下端に自身の運動を他に伝達する運動伝達具６、及び平盤の側面両側中央に自身の傾斜自在のための支持棒軸受け７を設備した剛体平板機構と、左右二つの支持棒軸受けと組み合わせるための支持棒９を付けた二基の支持台８からなる支持台機構とで構成され、平盤の回転軸を支持した垂直線と両支持棒９の軸心を支持した水平線とが平盤の中心で直交するように支持棒軸受けと支持棒とを組み合わせる。平盤の反復傾斜に伴いアームと錘と転滑具は自然と回転し、傾斜ピッチとタイミングによって加減速調整可能になる。【選択図】図１
0003226080.tif 000002
【実用新案登録請求の範囲】
【請求項１】
１剛体平盤２回転軸３アーム４錘５転滑具６運動伝達具７支持棒軸受を設備した剛体平盤機構(以下甲という。)と、８支持台９支持棒の支持機構(以下乙という。)で構成され、乙の該両支持棒の軸心を水平線と平行に支持し、甲の該剛体平盤の中央に位置する回転軸心と重なる垂直線とが直交するように支持することと、その操作運転で惰性とピッチとタイミングと遊具の梃子利用することで該回転軸とアームと錘が該剛体平盤の傾斜に従い回転したその回転運動を該運動伝達具からの負荷とともに加減速調整することを可能にする特徴を持った回転器具。
【考案の詳細な説明】
【技術分野】
【０００１】
本考案は、レジャー・災害緊急時・に遊具や簡単な器具操作ですぐ対応できる動力源の回転器具に関するものである。本案は遊具との組み合わせなどについては省略している
【背景技術】
【０００２】
従来のものの回転器具は横軸回転が主流だが本案は縦軸で平面回転で、回転動力源を遊具と梃子器具で実用的に調達するのは稀で小規模のものだけで化石燃料に頼っていた。
【先行技術文献】
【特許文献】
【０００３】
【特許文献１】特開２００１−１９３６２６号
【考案の概要】
【考案が解決しようとする課題】
【０００４】
安易簡単な力学的状態変換で連続的に回転運動する形状構造物品を限定的に特定する。「動かす力」でなく容易に自然に「動いちゃう力」を引き出しその惰性を加勢させる。梃子とピッチとタイミングで安易に加速し減速し負荷に対しても安全運転可能にする。                              
【課題を解決するための手段】
【０００５】
一回だけで終わらないスロープなら連続して動き惰性も加勢する。平盤中心に軸受と軸にアームと錘。摩擦小にして転滑具を付けた回転軸とアームと錘を動かす。平盤傾斜の角度ピッチタイミング負荷との調整で、遊具と梃子器具操作の運転次第である。
【考案の効果】
【０００６】
従来のものと比較して遊具と梃子器具利用で楽しく愉快に活用でき又災害緊急時にも対応できる。
【図面の簡単な説明】
【０００７】
【図１】本考案の全体側面図（実施例１）
【図２】本考案の平面図と設置説明図（実施例２）
【図３】本考案の剛体平盤の傾斜とアームと錘の関係図(実施例３)
【図４】本考案と組み合わる遊具と梃子器具の一例と漫画図(実施例４)
【考案を実施するための形態】
【０００８】
本考案の実施には遊具と梃子器具を組み合わせるが、請求項記載の負荷とともに加減速調整の可能のこと以外の接続方法操作運転に関しては簡単で常識的なので詳細は省略する。
平盤を傾斜させる方法は本案以外にも平盤中央に支持台を地盤がわに置くだけのもの、平盤自体を下駄に見立て歯を履かせた格好のもの、平盤中央に脚を付けるだけのものなど色々あるが本案は一例である。
【実施例１】
【０００９】
本考案の形状構造図である。傾斜往復の振り幅と傾斜限界の枠・ストパー・ブレーキ・安全装置・速度調整装置など必要に応じ設置する。平盤上を回転軸が回転する動力の運動伝達具は歯車ベルトチェーン増速機器ギヤボックスなどとする。アームと錘の重量と器具操作の梃子利用での重量比と長さの工夫を要し操縦は遊具と器具操作のコンビネーションで最大効果を狙う。転滑具は平盤と錘の接触面の摩擦は小が良く、コロ・潤滑油・滑車・レール・キャスターなど状況に応じ替える。錘は鋼材・岩石・コンクリート塊・砂袋など状況に応じ替える。設置場所はどこにでも災害緊急時に多数人でやれば更に効果が上がる。
【実施例２】
【００１０】
支持台は水平地盤に垂直に設置する。Ａ、支持棒の軸心Xと回転軸の軸心Yは剛体平盤の中央で直交するよう設置する。Ｂ、剛体平盤のスロープによりアームと錘は上下を繰り返し回転する。アームと錘がＸ−Ｘ上にあるときは静止するが剛体平盤が前後に往復傾斜すれば自然と動く。イ→ロの後必ず惰性(ホ)で余分に回るがロで傾斜を素早く逆にする。後順次傾斜を続ける。余力が入力と加勢し加速し回転しハ→ニ更に余力がプラスする。ピッチをあげ負荷をかけ遊具操作を調整する。Xは水平線左右  Yは垂直線上下  Zは遠近前後
【実施例３】
【００１１】
本考案の負荷とともに加減速が可能となる説明図である。Ａ、錘のまわり方イ→ロ→ハ→ニを繰り返す。錘がロの時傾斜を素早く逆にハとする。ニの時また素早く逆にイとする。余力(惰性)が入力と加勢し加速し回転しハ→ニ更に余力がプラスする。ピッチを上げ負荷をかけ遊具操作との関係調整をするそして安全運転を続ける。Ｂ、前倒し運転(タイミング)の時は(ホ)で調整する。傾斜幅を大にしたときは錘の上下幅が大なので出力は当然大となる。Ｃ、アームを長くしたときは円周が長く所要時間が長いので操作運転しやすい。Ｄ準備運転の図  Ｅ負荷をかけコントロール運転  Ｆ安全運転  Ｇ同じ条件で継続維持し決して条件を変えない。Ｔは時間  Ｐはピッチ
【実施例４】
【００１２】
図は本案回転器具の剛体平盤と支持台のみの図に遊具と梃子器具の関係を示す漫画図であり詳細は省略する。遊具と梃子操作の器具の設計取り付けは機械保全また人身保全保護を万全に作成する。この器具は剛体平盤の傾斜のやり方つまり梃子利用によりいかに効果的に連続的に傾斜できるかである。どの器具も梃子による支点力点作用点を安易に容易に楽しく愉快に利用することにある。各図の通りのもの以外にもいろいろあるがこれは一例でその時の状況に応じ適宜選択する。
１、シーソー  ２、高所支点器具  ３、平地支点器具  ４、遊動円木
【産業上の利用可能性】
【００１３】
遊具が災害緊急時やレジャーの動力源として活用できることを契機に一般にも活用したい。
【符号の説明】
【００１４】
１、剛体平盤  
２、回転軸  
３、アーム  
４、錘  
５、転滑具  
６、運動伝達具  
７、支持棒軸受    
８、支持台  
９、支持棒  
【図１】
0003226080.tif 000003
【図２】
0003226080.tif 000004
【図３】
0003226080.tif 000005
【図４】
0003226080.tif 000006
【手続補正書】
【提出日】令和2年1月20日(2020.1.20)
【手続補正１】
【補正対象書類名】実用新案登録請求の範囲
【補正対象項目名】全文
【補正方法】変更
【補正の内容】
【実用新案登録請求の範囲】
【請求項１】
四角形の１剛体平盤の平面中央中心に直角に垂直上下に突き出た状態に2回転軸と軸受け、該回転軸上側に該剛体平盤上を滑らかに回転運動させるように3アーム4錘５転滑具、該鋼体平盤の下側に突き出た状態の該回転軸の下端に自身の運動を他に伝達する6運動伝達具、該剛体平盤の側面両側中央に自身の傾斜自在のための７支持棒軸受けを設備した剛体平板機構(以下甲という。)と、甲の左右二つの該支持棒軸受けと乙の組み合わせのための9支持棒を付けた二基の8支持台からなる支持台機構(以下乙という。)とで構成され、甲の該剛体平盤の該回転軸と軸受け軸心を垂直に支持した垂直線と乙の該両支持棒軸心を水平に支持した水平線とが甲の中央中心で直交するように甲の該支持棒軸受けと乙の該支持棒とを組み合わせると、甲の傾斜という状態変化に該アームと該錘と該転滑具が対応し該剛体平盤に従属させるので、甲乙だけでも甲の反復傾斜に伴い該アームと該錘と該転滑具は自然と回転し、又甲の傾斜ピッチとタイミングによって回転した自身の回転運動と該運動伝達具からの負荷と同時に加減速調整可能になりその回転力利用活用は明白で、又甲乙は本案甲乙以外の他の器具の遊具とか梃子機器を甲乙に接続することにより大型化・入力安易容易化も可能とすることを特徴とする回転器具。
【手続補正書】
【提出日】令和2年2月28日(2020.2.28)
【手続補正１】
【補正対象書類名】実用新案登録請求の範囲
【補正対象項目名】全文
【補正方法】変更
【補正の内容】
【実用新案登録請求の範囲】
【請求項１】
四角形の剛体平盤(１)の平面中央中心に直角に垂直上下に突き出た状態に回転軸と軸受け(２) 、該回転軸上側に該剛体平盤上を滑らかに回転運動させるようにアーム(３)と・錘(４)と・転滑具(５)、該剛体平盤の下側に突き出た状態の該回転軸の下端に自身の運動を他に伝達する運動伝達具(６)、該剛体平盤の側面両側中央に自身の傾斜自在のための支持棒軸受け(７)を設備した剛体 平板機構(以下甲という。)と、甲の左右二つの該支持棒軸受けと乙の組み合わせのための 支持棒(９)を付けた二基の支持台(８)からなる支持台機構(以下乙という。)とで構成され、甲の 該剛体平盤の該回転軸と軸受け軸心を垂直に支持した垂直線と乙の該両支持棒軸心を水平 に支持した水平線とが甲の中央中心で直交するように甲の該支持棒軸受けと乙の該支持棒 とを組み合わせると、甲の傾斜という状態変化に該アームと該錘と該転滑具が対応し該剛 体平盤に従属させるので、甲乙だけでも甲の反復傾斜に伴い該アームと該錘と該転滑具は 自然と回転し、又甲の傾斜ピッチとタイミングによって回転した自身の回転運動と該運動 伝達具からの負荷と同時に加減速調整可能になりその回転力利用活用は明白で、又甲乙は 本案甲乙以外の他の器具の遊具とか梃子機器を甲乙に接続することにより大型化・入力安 易容易化も可能とすることを特徴とする回転器具。